(57)【要約】【課題】螺子止め作業の開始時に、螺子の先端位置にずれが発生し難く、正確な螺子止め作業を容易に行うことができるシート止用条材を提供する。【解決手段】シート止用条材１の底壁部１１内面の幅方向の略中央には、細い帯状の溝部４が、シート止用条材１の長手方向の略全領域に亘って延設してある。この溝部４は、適宜の間隔で設けた複数の凹部４１，４１，…と、各凹部４１，４１，…の深さ寸法より浅い深さ寸法であり、各凹部４１，４１，…の間を仕切る仕切り部４２，４２，…とを設けて形成してある。【選択図】図１
2006067949.tif 000002
【特許請求の範囲】
【請求項１】
帯状の底壁部の両側縁にそれぞれ側壁部を立設してなり、両側壁部間内に軟質性のシートの一部を挿入させて当該シートを止めるシート止用条材において、
前記底壁部の内面に、一列に配した複数の凹部の間の一部又は全部をそれぞれ、前記底壁部の内表面より窪ませた仕切り部で仕切ってなる１又は複数条の溝部が、前記底壁部の長手方向へ延設してあることを特徴とするシート止用条材。
【請求項２】
帯状の底壁部の両側縁にそれぞれ側壁部を立設してなる本体と、この本体を固定すべく、一方の側壁部の外側に、前記底壁部と平行に延設した帯状のフランジ部とを備え、前記本体の両側壁部上間に硬質性のシートの一部を掛け渡し、当該シートを貫通させた螺子を前記両側壁部間に螺合させて前記シートを止めるシート止用条材において、
前記フランジ部の表面に、一列に配した複数の凹部の間の一部又は全部をそれぞれ、前記表面より窪ませた仕切り部で仕切ってなる１又は複数条の溝部が、前記フランジ部の長手方向へ延設してあることを特徴とするシート止用条材。
【発明の詳細な説明】
【技術分野】
【０００１】
本発明は、複数の骨材間に合成樹脂製のシートを展張してなる、所謂ビニルハウスにおいて、前記シートを止めるシート止用条材に関する。
【背景技術】
【０００２】
複数の骨材間に合成樹脂製のシートを展張してなる、所謂ビニルハウスにあっては、骨材間にシート止用条材を架設しておき、このシート止用条材にシートの一部を係止するようにしてある（例えば、特許文献１参照）。
【０００３】
即ち、図１３に示した如く、シート止用条材５０は、端面視が縦断三角フラスコ底部形状をしており、両側部の上縁部はそれぞれ外側へ丸め加工してある。そして、シート止用条材５０内に軟質シートＳ１の一部を挿入させた後、その上から、面内交互台形波形状のスプリングＰをシート止用条材５０内に嵌入させることによって、軟質シートＳ１の一部をシート止用条材５０に係止させるようにしてある。
【０００４】
【特許文献１】特開２００１−３０９７２６号公報
【発明の開示】
【発明が解決しようとする課題】
【０００５】
しかしながら、このような従来のシート止用条材５０にあっては次のような問題があった。即ち、シート止用条材５０を骨材に螺子止めする場合、螺子の先端を、シート止用条材５０の底部内面であって、シート止用条材５０幅方向の中央を通る軸上の適宜位置に位置決めして当接させ、当該螺子をシート止用条材５０の底部に螺入させることによってシート止用条材５０の内から外へ貫通させるが、かかる螺子止め作業の開始時に、螺子の先端位置にずれが発生し易く、螺子止め作業に困難を伴うのである。
【０００６】
本発明は斯かる事情に鑑みてなされたものであって、螺子止め作業の開始時に、螺子の先端位置にずれが発生し難く、正確な螺子止め作業を容易に行うことができるシート止用条材を提供する。
【課題を解決するための手段】
【０００７】
請求項１記載の本発明は、帯状の底壁部の両側縁にそれぞれ側壁部を立設してなり、両側壁部間内に軟質性のシートの一部を挿入させて当該シートを止めるシート止用条材において、前記底壁部の内面に、一列に配した複数の凹部の間の一部又は全部をそれぞれ、前記底壁部の内表面より窪ませた仕切り部で仕切ってなる１又は複数条の溝部が、前記底壁部の長手方向へ延設してあることを特徴とする。
【０００８】
請求項２記載の本発明は、帯状の底壁部の両側縁にそれぞれ側壁部を立設してなる本体と、この本体を固定すべく、一方の側壁部の外側に、前記底壁部と平行に延設した帯状のフランジ部とを備え、前記本体の両側壁部上間に硬質性のシートの一部を掛け渡し、当該シートを貫通させた螺子を前記両側壁部間に螺合させて前記シートを止めるシート止用条材において、前記フランジ部の表面に、一列に配した複数の凹部の間の一部又は全部をそれぞれ、前記表面より窪ませた仕切り部で仕切ってなる１又は複数条の溝部が、前記フランジ部の長手方向へ延設してあることを特徴とする。
【発明の効果】
【０００９】
本発明では、シート止用条材の底壁部の内面又はシート止用条材の本体を固定するためのフランジ部の表面に、一列に配した複数の凹部の間の一部又は全部をそれぞれ、前記底壁部の内表面又はフランジ部の表面より窪ませた仕切り部で仕切ってなる１又は複数条の溝部が、前記底壁部又はフランジ部の長手方向へ延設してあるため、シート止用状材の螺子止め作業において、シート止用条材の幅方向の中央位置を容易に定めることができるのに加え、シート止用条材の長手方向の位置を容易に定めることができる。そして、螺子を嵌入させた凹部の両側に相隣る仕切り部によって、螺子の先端が溝部の長手方向へ移動することが防止され、螺子止め作業の開始時に、螺子の先端位置にずれが発生し難く、正確な螺子止め作業を容易に行うことができる。
【発明を実施するための最良の形態】
【００１０】
本実施の形態に係るシート止用条材は、帯状の底壁部の両側縁にそれぞれ側壁部を立設してなり、両側壁部間内に軟質性のシートの一部を挿入させて当該シートを止めるシート止用条材の前記底壁部の内面に、一列に配した複数の凹部の間の一部又は全部をそれぞれ、底壁部の内表面より窪ませた仕切り部で仕切ってなる１又は複数条の溝部が、底壁部の長手方向へ延設してある。
【００１１】
また、帯状の底壁部の両側縁にそれぞれ側壁部を立設してなる本体と、この本体を固定すべく、一方の側壁部の外側に、前記底壁部と平行に延設した帯状のフランジ部とを備え、前記本体の両側壁部上間に硬質性のシートの一部を掛け渡し、当該シートを貫通させた螺子を前記両側壁部間に螺合させて前記シートを止めるシート止用条材にも適用することができる。この場合は、前述したフランジ部の表面に、一列に配した複数の凹部の間の一部又は全部をそれぞれ、フランジ部の表面より窪ませた仕切り部で仕切ってなる１又は複数条の溝部を、フランジ部の長手方向へ延設する。
【００１２】
以下、本発明の実施例を図面に基づいて詳述する。
【００１３】
（実施例１）
図１は、本発明に係るシート止用条材を示す斜視図であり、シート止用条材１は、端面視が縦断三角フラスコ底部形状をなしている。即ち、シート止用条材１の両側壁部１２，１２はそれぞれ、底壁部１１に対して略４５°の角度になるように立設してあり、底壁部１１と両側壁部１２，１２とがなす両角部はそれぞれ円弧状になしてある。また、両側壁部１２，１２の縁部間の開口１３の幅寸法は底壁部１１の幅寸法の２／３程度にしてある。
【００１４】
この両側壁部１２，１２の縁部は、側壁部１２，１２の厚さ寸法より少し大きくなるように拡開させた後、この拡開領域内で、その先端を内側へ２つ折りに曲加工してあり、これによって、両側壁部１２，１２の縁が丸められるため、シート止用条材１に係止されるシートを疵付けることが防止される。更に、拡開領域内で内側に屈曲された両側壁部１２，１２の先端が、両側壁部１２，１２の他の部分の内面より少し外側に位置するため、両側壁部１２，１２の先端を内側に屈曲させた場合であっても、両側壁部１２，１２の先端でシートを疵付けることが防止される。
【００１５】
シート止用条材１の底壁部１１内面の幅方向の略中央には、細い帯状の溝部４が、シート止用条材１の長手方向の略全領域に亘って延設してある。この溝部４は、適宜の間隔で設けた複数の凹部４１，４１，…と、各凹部４１，４１，…の深さ寸法より浅い深さ寸法であり、各凹部４１，４１，…の間を仕切る仕切り部４２，４２，…とを設けて形成してある。なお、シート止用条材１の溝部４とは異なる部分の厚さ寸法は０．８ｍｍ程度である。また、溝部４の幅寸法は、０．８ｍｍ程度である。
【００１６】
図２は、図１に示した溝部４の拡大平面図であり、図３は、図２に示した溝部４のＩＩＩ−ＩＩＩ線による断面図である。両図に示した如く、溝部４に形成した各凹部４１，４１，…は倒立四角錘台状をなしており、凹部４１，４１，…の幅寸法は、溝部４の幅寸法と同じである。各凹部４１，４１，…の溝部４の長手方向の寸法は、１ｍｍ程度にしてあり、深さ寸法は、０．３ｍｍ程度にしてある。一方、相隣る凹部４１，４１、４１，４１、…，…間を仕切る仕切り部４２，４２，…の溝部４の長手方向の寸法は、図１〜図３に示した場合にあっては、０．５ｍｍ程度にしてあり、各仕切り部４２，４２，…の深さ寸法は、０．１ｍｍ程度にしてある。従って、凹部４１，４１，…は仕切り部４２，４２，…より０．２ｍｍ程度深い。また、図３に示した如く、仕切り部４２，４２，…と底壁部１１内面との間、及び凹部４１，４１，…と底壁部１１内面との間に段差が形成されている。即ち、溝部４の長手方向の略全領域に亘って、溝部４と底壁部１１内面との間に段差が形成されている。一方、底壁部１１の裏面は平坦にしてあり、後述する螺子止め作業後にガタが発生することを防止するようにしてある。
【００１７】
なお、上述した溝部４を構成する凹部４１，４１，…及び仕切り部４２，４２，…の寸法は、前述した各値に限られないことはいうまでもない。また、図１に示したシート止用条材１にあっては、底壁部１１の内表面に溝部４を１条設けた場合について示してあるが、本発明はこれに限らず、底壁部１１の幅方向へ距離を隔てて複数条の溝部４，４，…を設けてもよい。更に、溝部４は底壁部１１の長手方向の略全領域に亘って設けてあるが、本発明はこれに限らず、複数条の溝部４，４，…を底壁部１１の長手方向へ距離を隔てて設けてもよい。
【００１８】
このようなシート止用条材１を螺子止めし、当該シート止用条材１に軟質シートの一部を係止させるには、図４に示した如く、シート止用条材１を縦材Ｃの適宜高さ位置に横方向へ配置し、ドリルビスといった螺子Ｂの先端を、シート止用条材１の底壁部１１の溝部４内であって、シート止用条材１と縦材Ｃとが交わる部分の略中心位置の凹部４１に嵌入させ、シート止用条材１の底壁部１１を貫通して縦材Ｃの内部に進入し、シート止用条材１が縦材Ｃに固着するまで当該螺子Ｂを螺入させる。このようにしてシート止用条材１を縦材Ｃに螺子止めした後、シート止用条材１内に軟質シートＳ１の一部を挿入させた後、その上から、面内交互台形波形状のスプリングＰをシート止用条材１内に嵌入させることによって、軟質シートＳ１の一部をシート止用条材１に係止させる。
【００１９】
このようなシート止用条材１の螺子止め作業にあっては、シート止用条材１の長手方向の略全領域に亘って前述した溝部４が設けてあるため、シート止用条材１の長手方向の適当な位置で、シート止用条材１の底壁部１１内面上をその幅方向へ螺子Ｂを摺動させることによって、螺子Ｂの先端を溝部４内に嵌入させることができ、シート止用条材１の幅方向の中央位置を容易に定めることができる。
【００２０】
また、溝部４には、その長手方向へ距離を隔てて複数の凹部４１，４１，…が設けてあるため、螺子Ｂを溝部４内においてその長手方向へ摺動させることによって、螺子Ｂの先端を適当な位置の凹部４１内に嵌入させることができ、シート止用条材１の長手方向の位置を容易に定めることができる。そして、その先端を適当な凹部４１に嵌入させた状態で螺子Ｂを螺入させるため、螺子止め作業中、当該凹部４１の両側に相隣る仕切り部４２，４２によって、螺子Ｂの先端が溝部４の長手方向へ移動することが防止され、螺子止め作業の開始時に、螺子Ｂの先端位置にずれが発生し難く、正確な螺子止め作業を容易に行うことができる。
【００２１】
ところで、螺子止め作業の開始時に、仮に、螺子Ｂの先端がそれを嵌入させた凹部４１からずれて相隣る仕切り部４２上に位置した場合であっても、前述した如く、仕切り部４２は底壁部１１の内表面より窪ませてあるため、螺子Ｂの先端が溝部４を超えて、底壁部１１の内面へ跳出することが防止される。一方、螺子Ｂの先端は当該仕切り部４２によって相隣る凹部４１，４１のいずれかへ導かれてそこに嵌入され、再嵌入された凹部４１において、当該螺子Ｂによる螺子止め作業が行われる。このとき、相隣る凹部４１，４１の間の距離が０．５ｍｍ程度と狭いため、この程度のずれによっては、螺子止め作業及び螺子止め強度に支障を生じない。
（実施例２）
図５は、シート止用条材に設けられた他の溝部の拡大平面図であり、図６は、図５に示した溝部５のＶＩ−ＶＩ線による断面図である。両図に示した如く、溝部５に形成した各凹部５１，５１，…は倒立アーチ状をなしており、凹部５１，５１，…の幅寸法は、溝部５の幅寸法と同じである。各凹部５１，５１，…の溝部５の長手方向の寸法は、１ｍｍ程度にしてあり、深さ寸法は、０．３ｍｍ程度にしてある。一方、相隣る凹部５１，５１、５１，５１、…，…間を仕切る仕切り部５２，５２，…の溝部５の長手方向の寸法は、図５及び図６に示した場合にあっては、０．５ｍｍ程度にしてあり、各仕切り部５２，５２，…の深さ寸法は、０．１ｍｍ程度にしてある。
【００２２】
これによって、前同様、螺子の先端を溝部５内に嵌入させて、シート止用条材の幅方向の中央位置を容易に定めることができると共に、螺子の先端を適当な位置の凹部５１内に嵌入させて、シート止用条材の長手方向の位置を容易に定めることができるのに加え、当該凹部５１の両側に相隣る仕切り部５２，５２によって、螺子の先端が溝部５の長手方向へ移動することが防止され、螺子止め作業の開始時に、螺子の先端位置にずれが発生し難く、正確な螺子止め作業を容易に行うことができる。また、仮に、螺子の先端がそれを嵌入させた凹部５１からずれて相隣る仕切り部５２上に位置した場合であっても、螺子の先端が溝部５を超えて、底壁部の内面へ跳出することが防止されると共に、再嵌入された凹部５１で、当該螺子による螺子止め作業を行うことができるので、螺子止め作業及び螺子止め強度に支障を生じない。
（実施例３）
図７〜図９は、シート止用条材に設けられた更に他の溝部の拡大平面図であり、いずれの場合も円柱状の凹部が設けてある。即ち、図７に示した溝部６にあっては、当該溝部６の幅寸法より狭い直径の複数の凹部６１，６１，…が設けてあり、各凹部６１，６１，…の周囲は仕切り部６２，６２，…によって仕切ってある。
【００２３】
また、図８に示した溝部７にあっては、各凹部７１，７１，…の幅寸法は溝部７の幅寸法と略同じにしてあり、各凹部７１，７１，…の間を仕切る仕切り部７２，７２，…は、平面視において溝部７の幅方向の中央を通る軸上の部分が略線状に視認できる程度に薄くしてある。
【００２４】
一方、図９に示した溝部８は、複数の円柱状の凹部８１，８１，…がその一部を互いに重畳させたようにしてある。即ち、溝部８の両縁はそれぞれ、互いに対向する位置で外側へ凸の円弧波形状になしてあり、相隣る凹部８１，８１、８１，８１、…，…の間は、対向配置した対をなす三角波頭状の仕切り部８２，８２、８２，８２、…，…で、両者間の一部が仕切られている。つまり、相隣る凹部８１，８１、８１，８１、…，…は、溝部８の幅方向の中央を通る軸上で互いに連通させてある。
【００２５】
このような各溝部６，７，８であっても、前同様、螺子の先端を溝部６，７，８内に嵌入させて、シート止用条材の幅方向の中央位置を容易に定めることができると共に、螺子の先端を適当な位置の凹部６１，７１，８１内に嵌入させて、シート止用条材の長手方向の位置を容易に定めることができるのに加え、当該凹部６１，７１，８１の両側に相隣る仕切り部６２，６２、７２，７２、８２，８２によって、螺子の先端が溝部６，７，８の長手方向へ移動することが防止され、螺子止め作業の開始時に、螺子の先端位置にずれが発生し難く、正確な螺子止め作業を容易に行うことができる。また、仮に、螺子の先端がそれを嵌入させた凹部６１，７１，８１からずれた場合であっても、螺子の先端が溝部６，７，８を超えて、底壁部の内面へ跳出することが防止されると共に、再嵌入された凹部６１，７１，８１で、当該螺子による螺子止め作業を行うことができるので、螺子止め作業及び螺子止め強度に支障を生じない。
【００２６】
なお、本実施例では、凹部６１，７１，８１の形状を円柱状になしたが、本発明はこれに限らず、円錐状又は円錐台状になしてもよいことはいうまでもない。
（実施例４）
図１０及び図１１は、本発明に係る他のシート止用条材を示す斜視図であり、硬質性のシートを係止するためのものである。両図に示した如く、シート止用条材２，３は、平坦な帯状の底壁部２１，３１の両縁にそれぞれ側壁部２２，２２、３２，３２を立設した本体２０，３０を備えており、一方の側壁部２２，３２は、前記底壁部２１，３１とのなす角度が略４５°になるようにして、その角部を円弧状に成形してある。また、一方の側壁部２２，３２の縁部は、耳形状に丸めてある。
【００２７】
また、他方の側壁部２２，３２は、底壁部２１，３１から所定高さまで起立させてから、内側へ傾斜する姿勢で延設し、縁部を外側へ縦長耳形状に丸めた後、前記底壁部２１，３１まで延設してあり、この他方の側壁部２２，３２の縁部と前記一方の側壁部２２，３２の縁部との間には、螺子を螺合させるための開口２３，３３が形成してある。そして、他方の側壁部２２，３２の底壁部２１，３１まで延設させた部分は、底壁部２１，３１と同じ位置で外側へ略直角に屈曲させて、本体２０，３０を固定するためのフランジ部２５，３５にしてあり、このフランジ部２５，３５の表面であって、幅方向の中央を通る軸上には、例えば図２に示した如き、一列に配した複数の凹部４１，４１，…の間をそれぞれ、仕切り部４２，４２，…で仕切ってなる溝部４，４が形成してある。
【００２８】
なお、図１１に示したシート止用条材３にあっては、前述したフランジ部３５の縁部を内側へ半円筒状に丸めてあり、これによって図示しない固定具の引掛け部を係止させ得るようになしてある。
【００２９】
このようなシート止用条材３を螺子止めし、当該シート止用条材３に硬質シートＳ２の一部を係止させるには、図１２に示した如く、シート止用条材３を縦材Ｃの適宜高さ位置に横方向へ配置し、ドリルビスといった螺子Ｂの先端を、シート止用条材３のフランジ部３５の溝部４内であって、フランジ部３５と縦材Ｃとが交わる部分の略中心位置の凹部４１に嵌入させ、当該フランジ部３５を貫通して縦材Ｃの内部に進入し、シート止用条材３が縦材Ｃに固着するまで当該螺子Ｂを螺入させる。このようにしてシート止用条材３を縦材Ｃに螺子止めした後、シート止用条材３の前記開口３３を覆うように硬質シートＳ２の一部を両側壁部３２，３２間に掛け渡した後、硬質シートＳ２を押える帯状の押え部材Ｔを両側壁部３２，３２上に載置し、押え部材Ｔに設けた孔ｈ及び硬質シートＳ２を貫通させたタッピングネジといった螺子ｂを、前記開口３３内に螺合させることによって、硬質シートＳ２の一部をシート止用条材３に係止させる。
【００３０】
これによって、前同様、螺子Ｂの先端を溝部４内に嵌入させて、フランジ部３５の幅方向の中央位置を容易に定めることができると共に、螺子Ｂの先端を適当な位置の凹部４１内に嵌入させて、シート止用条材１の長手方向の位置を容易に定めることができるのに加え、当該凹部４１の両側に相隣る仕切り部４２，４２によって、螺子Ｂの先端が溝部４の長手方向へ移動することが防止され、螺子止め作業の開始時に、螺子Ｂの先端位置にずれが発生し難く、正確な螺子止め作業を容易に行うことができる。また、仮に、螺子Ｂの先端がそれを嵌入させた凹部４１からずれて相隣る仕切り部４２上に位置した場合であっても、螺子Ｂの先端が溝部４を超えて、フランジ部３５の表面へ跳出することが防止されると共に、再嵌入された凹部４１で、当該螺子Ｂによる螺子止め作業を行うことができるので、螺子止め作業及び螺子止め強度に支障を生じない。
【図面の簡単な説明】
【００３１】
【図１】本発明に係るシート止用条材を示す斜視図である。
【図２】図１に示した溝部の拡大平面図である。
【図３】図２に示した溝部のＩＩＩ−ＩＩＩ線による断面図である。
【図４】図１に示したシート止用条材の使用状態を示す分解斜視図である。
【図５】シート止用条材に設けられた他の溝部の拡大平面図である。
【図６】図５に示した溝部のＶＩ−ＶＩ線による断面図である。
【図７】シート止用条材に設けられた更に他の溝部の拡大平面図である。
【図８】シート止用条材に設けられた更に他の溝部の拡大平面図である。
【図９】シート止用条材に設けられた更に他の溝部の拡大平面図である。
【図１０】本発明に係る他のシート止用条材を示す斜視図である。
【図１１】本発明に係る他のシート止用条材を示す斜視図である。
【図１２】図１１示したシート止用条材の使用状態を示す斜視図である。
【図１３】従来のシート止用条材の使用状態を示す斜視図である。
【符号の説明】
【００３２】
１    シート止用条材
２    シート止用条材
３    シート止用条材
４    溝部
５    溝部
６    溝部
７    溝部
８    溝部
１１    底壁部
１２    側壁部
１３    開口
２０    本体
２１    底壁部
２２    側壁部
２３    開口
２５    フランジ部
３０    本体
３１    底壁部
３２    側壁部
３３    開口
３５    フランジ部
４１    凹部
４２    仕切り部
５１    凹部
５２    仕切り部
６１    凹部
６２    仕切り部
７１    凹部
７２    仕切り部
８１    凹部
８２    仕切り部
Ｓ１    軟質シート
Ｓ２    硬質シート
Ｃ    縦材
Ｂ    螺子
ｂ    螺子
Ｔ    押え部材
ｈ    孔
Ｐ    スプリング
【図１】
2006067949.tif 000003
【図２】
2006067949.tif 000004
【図３】
2006067949.tif 000005
【図４】
2006067949.tif 000006
【図５】
2006067949.tif 000007
【図６】
2006067949.tif 000008
【図７】
2006067949.tif 000009
【図８】
2006067949.tif 000010
【図９】
2006067949.tif 000011
【図１０】
2006067949.tif 000012
【図１１】
2006067949.tif 000013
【図１２】
2006067949.tif 000014
【図１３】
2006067949.tif 000015